(57)【要約】      （修正有）【課題】巻尺の本体ケースに落下防止用ロープに係着できる係着部を設けて、万一、巻尺を落としてしまった場合でも、落下防止用ロープによって巻尺の落下を阻止することができる巻尺を提供する。【解決手段】巻尺の本体たるケース１の背面に、外部の落下防止用ロープ２に有する係着具たるフック３を係着するための係着用アーム４を設け、同係着用アーム４における本体部分４ａが、少なくともケース１の背面側外方に位置するように形成する。【選択図】図１
0003158511.tif 000002
【実用新案登録請求の範囲】
【請求項１】
ケース内に、測定用テープを周囲に巻き回し、同測定用テープを巻き取り方向に付勢する付勢手段を内装した回転ドラムが回転自在に支持された自動巻取り式の巻尺であって、ケースに、外部の落下防止用ロープに有する係着具を係着できる係着用アームを設け、同アームにおける前記係着具を係着する本体部分が、ケースにおける測定用テープの出入り口側を前面とした場合、少なくともケース背面側の外方に位置するように形成してなる巻尺。
【請求項２】
前記係着用アームを、前記回転ドラムの回転面に対向する同回転ドラムの両側に位置するケース壁に架橋してなる請求項１に記載の巻尺。
【請求項３】
前記係着用アームの両遊端部をケース壁に取り付ける際、既設のケース組み立て用ねじを用いて取り付けてなる請求項２に記載の巻尺。
【請求項４】
前記係着用アームは、少なくとも同アームにおけるケース壁への取り付け部位を中心に、前記回転ドラムの回動方向に回動できるように構成してなる請求項２または３に記載の巻尺。
【請求項５】
前記係着用アームの少なくとも本体部分の一部もしくは全部を収容できる凹所をケースの所定部位に形成して、係着用アームを回動させると同アームの本体部分を前記凹所内に収容できるように構成してなる請求項４に記載の巻尺。
【請求項６】
前記係着用アームを略コ字状に形成してなる請求項２に記載の巻尺。
【考案の詳細な説明】
【技術分野】
【０００１】
本考案は、測定用テープをケース内に巻き回し収容する巻尺に関し、より詳しくは、本体ケースに落下防止用ロープを係着できる係着部を設けた巻尺に関する。
【背景技術】
【０００２】
従来、高所作業における巻尺の落下防止は、市販の落下防止用ロープの一方に備える係着具を作業者が身に付けたベルト等に係着し、他方に備える係着具を巻尺の本体ケースに取り付けられた携帯用ストラップに係着することによって巻尺と作業者を連結して、誤って巻尺を落としてしまった場合でも、巻尺が地上まで落下してしまわないようにしている。
【０００３】
しかしながら、落下防止用ロープを係着する携帯用ストラップは、巻尺を携帯する際に、本体ケースを手から下げて持ち歩けるようにすることを目的として設けているものであるため、万一、巻尺を落としてしまった場合に、落下防止用ロープから携帯用ストラップにかかる衝撃によって前記ストラップや本体ケースの前記ストラップ取り付け部が破損し、結果、巻尺が落下してしまう恐れがあった。
【先行技術文献】
【特許文献】
【０００４】
【特許文献１】特開２００３−１６１６０１号公報（第１〜８頁、図１〜１３）
【考案の概要】
【考案が解決しようとする課題】
【０００５】
本考案の目的とするところは、巻尺の本体ケースに落下防止用ロープに備える係着具たるフック等を係着できる係着部を設けて、万一、巻尺を落としてしまった場合でも、落下防止用ロープによって巻尺の落下を食い止めることができる巻尺を提供できるようにすることにある。
【課題を解決するための手段】
【０００６】
上述した課題を解決するために、本考案に係る巻尺は、ケース内に、測定用テープを周囲に巻き回し、同測定用テープを巻き取り方向に付勢する付勢手段を内装した回転ドラムが回転自在に支持された自動巻取り式の巻尺であって、ケースに、外部の落下防止用ロープに有する係着具を係着できる係着用アームを設け、同アームにおける前記係着具を係着する本体部分が、ケースにおける測定用テープの出入り口側を前面とした場合、少なくともケース背面側の外方に位置するように形成したものとしてある。
【０００７】
そして前記係着用アームを、前記回転ドラムの回転面に対向する同回転ドラムの両側に位置するケース壁に架橋し、また、この係着用アームを略コ字状に形成したものとしてある。
【０００８】
また、前記係着用アームの両遊端部をケース壁に取り付ける際、既設のケース組み立て用ねじを用いて取り付けたものとしてある。
【０００９】
また、前記係着用アームは、少なくとも同アームにおけるケース壁への取り付け部位を中心に、前記回転ドラムの回動方向に回動できるように構成したものとしてある。
【００１０】
さらに、前記係着用アームの少なくとも本体部分の一部もしくは全部を収容できる凹所をケースの所定部位に形成して、係着用アームを回動させると同アームの本体部分を前記凹所内に収容できるように構成したものとしてある。
【考案の効果】
【００１１】
本考案に係る巻尺によれば、巻尺の本体ケースに、落下防止用ロープに備える係着具たるフック等を係着できる係着部（係着用アーム）を設けているので、巻尺と落下防止用ロープとをしっかりと連結できて、落下防止用ロープの連結不良等による誤落下を阻止できる。
【００１２】
また、係着部（係着用アーム）を、落下防止用ロープにより巻尺の落下を阻止する際に加わる衝撃の力に耐え得る強度に容易に設計できるので、前記衝撃等が加えられることによる前記係着部の破損を軽減でき、また、落下防止用ロープによって巻尺の落下を食い止めることができ、高所作業時の安全性を大幅に向上させることができる。
【００１３】
そして、落下防止用ロープを係着する係着部たる係着用アームを、同アームにおけるケース壁への固定部位を中心に回動できるようにしている場合は、係着用アームに落下防止用ロープを掛けないで巻尺を使用する際は、係着用アームを回動させて同本体部分を巻尺の本体ケースに略密着させておくことができるので、係着用アームが作業の邪魔にならない。
【００１４】
また、巻尺を工具ケース等に収納しておく場合も、係着用アームを回動させて同本体部分を巻尺の本体ケースに略密着させてコンパクトに収容できる。
【図面の簡単な説明】
【００１５】
【図１】本考案に係る巻尺の一例を示す斜視図。
【図２】半ケースを取り外した状態の巻尺を示す図。
【図３】係着用アームに落下防止用ロープを係着した状態を示す斜視図。
【図４】係着用アームが回動するものを示す斜視図。
【図５】係着用アームを収納した状態を示す斜視図。
【考案を実施するための形態】
【００１６】
以下、本考案に係る巻尺の実施例を、添付図面に示す具体例に基づいて詳細に説明する。
【００１７】
図１に示すように、本考案に係る巻尺は、巻尺の本体たるケース１の測定用テープ７の出入り口８側を前面とした場合、同ケース１の背面に、外部の落下防止用ロープ２に有する係着具たるフック３を係着するための係着用アーム４を配していて、係着用アーム４における落下防止用ロープ２に有するフック３を係着する本体部分４ａが、少なくともケース１の背面側外方に位置するように設けている。
【００１８】
実施例に示した係着用アーム４はコ字状に形成しているものであり、この係着用アーム４を、ケース１を形成する半ケース１ａと半ケース１ｂのケース壁外面に架橋状に取り付けている。
【００１９】
そして、係着用アーム４が架橋される半ケース１ａと半ケース１ｂのケース壁は、図２に示すように、ケース１内に立設する軸５に回転自在に支持される回転ドラム６の回転面に対向する部位のケース壁である。
【００２０】
また、実施例では、係着用アーム４をケース１の前面側となる測定用テープ７の出入り口８と反対側に位置するケース１の背面側下方に設けている。
【００２１】
また、前述するように係着用アーム４をケース１の背面側下方に設けるときには、半ケース１ａと半ケース１ｂとを固定してケース１を形成するためのケース１の背面側下方のケース組み立て用ねじ９を共用する場合がある。
【００２２】
以下、上述のように構成した本考案に係る巻尺の作用について説明する。
【００２３】
図３に示すように、巻尺のケース１に設けた係着用アーム４（本体部分４ａ）に作業者の腰ベルトに接続している落下防止用ロープ２に有するフック３を接続できるので、作業者（図示は省略）と巻尺のケース１がしっかりと連結できる。
【００２４】
そして、落下防止用ロープ２によって巻尺（ケース１）の落下を阻止する際のケース１に加わる衝撃は、前記係着用アーム４によってしっかりと受け止められる。
【００２５】
上記実施例では、係着用アーム４をケース１に固定してあるが、図４に示すように、係着用アーム４を取り付けているケース組み立て用ねじ９を通す通孔部分（図示は省略）を中心にして、ケース１内の回転ドラムの回動方向（図４中の矢印方向）に回動できるように取り付ける場合がある。
実施例では、係着用アーム４を回動できるように取り付けるための回動手段の構成を省略している。
【００２６】
また、ケース１に、係着用アーム４の本体部分４ａを収納することができる凹所１０、１０´を形成する場合がある。
【００２７】
ケース１に凹所１０、１０´を設けているものは、図５に示すように、係着用アーム４に落下防止用ロープ２を接続しないで使用する際、あるいは巻尺を保管する際には係着用アーム４を所望の方向に回動して、係着用アーム４の本体部分４ａをケース１の凹所１０または凹所１０´に収納しておくことができる。
【００２８】
また、係着用アーム４の本体部分４ａを丸棒状（図４参照）やその他フック３の構造に合わせた適宜の形状に形成することもある。
【００２９】
実施例の巻尺は、ケース１内から引き出した測定用テープ７を引き出し位置で停止させておくブレーキ装置（ブレーキレバー）、また、ケース１の測定用テープ７の出入り口８内に配設され、巻き取られた測定用テープ７先端の係止片１１（図２を参照）が出入り口８に係止される際の衝撃を緩和するダンパー装置等の図示を省略している。
【００３０】
また、実施例に示した係着用アーム４は、中央に位置する直線材の両端に続けて直線材を直角方向に延設するコ字状であるが、本考案におけるコ字状とは、略Ｃ字状のように本体を円弧状に形成するものなども含まれる。
【００３１】
実施例における図中の符号１２は巻尺を作業者のベルトに係着する際に用いるベルトクリップ、符号１３は引き出された測定用テープ７をケース１内に巻き取るための巻き取りばね、符号１４、１４´は半ケース１ａと半ケース１ｂとを固定してケース１を形成するためのケース組み立て用ねじ９、９´を受けるねじ受け部である。
【符号の説明】
【００３２】
１  ケース
１ａ  半ケース
１ｂ  半ケース
２  落下防止用ロープ
３  フック
４  係着用アーム
４ａ  本体部分
５  軸
６  回転ドラム
７  測定用テープ
８  出入り口
９  ケース組み立て用ねじ
９´  ケース組み立て用ねじ
１０  凹所
１０´  凹所
１１  係止片
１２  ベルトクリップ
１３  巻き取りばね
１４  ねじ受け部
１４´  ねじ受け部
【図１】
0003158511.tif 000003
【図２】
0003158511.tif 000004
【図３】
0003158511.tif 000005
【図４】
0003158511.tif 000006
【図５】
0003158511.tif 000007